(57)【特許請求の範囲】
【請求項１】
基板、金属である電極および複数の保護層を含む窒化物系電子素子において、
前記保護層のうち、前記電極の上部の一部が露出するように前記電極の一部を覆う少なくとも二つの保護層は、下部の保護層の前記電極の一部を覆う側の端部が露出しないように上部の保護層が前記下部の保護層の前記電極の一部を覆う側の端部を覆うとともに、
前記保護層が相互に接して積層されるチップ水準の側面部には、
前記保護層の端面部が障壁層に直接接触されて、下部に位置する保護層の端部を上部に位置する保護層が覆って前記下部に位置する保護層の端部が露出しないように構成してなる、窒化物系電子素子。
【請求項２】
チップ水準の側面部の間には、ゲート電極、前記電極であるソース電極、およびドレイン電極がそれぞれ一つまたは二つ以上配置される、請求項１に記載の窒化物系電子素子。
【請求項３】
前記保護層のうち最上層の保護層は疏水性の樹脂材である、請求項１または請求項２に記載の窒化物系電子素子。
【請求項４】
前記疏水性の樹脂材は、
ＢＣＢ（ＢｅｎｚｏＣｙｃｌｏＢｕｔｅｎｅ）である、請求項３に記載の窒化物系電子素子。
【請求項５】
前記電極は少なくともドレイン電極パットであり、フィールドプレートを含む、請求項１〜４の何れか一項に記載の窒化物系電子素子。
【請求項６】
基板の上部にチャネル層、障壁層を順次形成し、保護層と電極を交互に形成する窒化物系電子素子の製造方法において、
前記保護層のうち電極の上部の周辺部に形成される少なくとも二つの保護層を含み、
前記二つの保護層のうち下部の保護層の端部が前記電極の上部に位置するようにパターニングし、
前記二つの保護層のうち上部の保護層は前記下部の保護層の前記電極の上部側の端部を覆って露出しないようにパターニングし、
前記保護層は、
チップ水準の側面部でそれぞれ直接に接して積層され、
前記保護層の端面部が前記障壁層に直接接触されて、上部に位置する保護層が下部に位置する保護層の端部を覆うようにパターニングする、窒化物系電子素子の製造方法。
【請求項７】
前記保護層の最上層に位置する保護層はＢＣＢ（ＢｅｎｚｏＣｙｃｌｏＢｕｔｅｎｅ）を塗布し、パターニングしてなる、請求項６に記載の窒化物系電子素子の製造方法。
【請求項８】
前記電極は、
少なくともドレイン電極パットであり、選択的にフィールドプレートをさらに含む、請求項６または７に記載の窒化物系電子素子の製造方法。
【発明の詳細な説明】
【技術分野】
【０００１】
本発明は窒化物系電子素子およびその製造方法に関し、さらに詳細には安定性および信頼性を向上させ得る窒化物系電子素子およびその製造方法に関する。
【背景技術】
【０００２】
一般的に窒化物系電子素子はＳｉやＧａＡｓのような通常の半導体材料に比べて広いエネルギーバンドギャップを有し、熱的および化学的安定度が高く、高い電子飽和速度を有する。したがって高周波、高出力の応用分野に適合なものとして知られている。
【０００３】
窒化物系電子素子は、それぞれ異種の窒化物層であるチャネル層と障壁層を積層して接合界面で大きなバンド不連続性を提供し、大きなバンド不連続性により高濃度の電子が誘起され得るため、電子移動度を向上させることができる。
【０００４】
このような特性の窒化物系電子素子は、通常水分の浸透を防止するために樹脂フィルムを使っているが、湿気および温度変化によって樹脂フィルムの体積が変化され得、このような樹脂フィルムの体積の変化は下部の窒化物系保護層の一部の剥離を発生させる可能性がある。
【０００５】
保護層の剥離部分に水分が浸透し得、水分の浸透による金属電極パッドの表面が酸化し易く、これは高電圧を使う窒化物系電子素子の安定性および信頼性の低下に繋がり得る。
【０００６】
特にソース電極パッドは基板の背面側でビア（Ｖｉａ）を形成して外部電極を連結し、積層されたパッシベーション層と樹脂フィルムに形成された開口部を通じてドレイン電極パットの上面を露出させて外部電極を連結する構造を有する高電子移動度トランジスター（ＨＥＭＴ）の場合、ドレイン電極パット側に湿気が流入しやすい構造を有している。
【０００７】
日本公開特許公報２０１４−２２０４６３号（２０１４年１１月２０日公開、半導体装置）には、耐湿性を向上させた半導体装置の構造について記載しており、特にドレインの上部側に湿気が流入することを遮断できる構造について詳細に記載されている。
【０００８】
前記公開特許の図６（ｂ）および（ｃ）の構造から分かるように、ドレイン電極パットの上部に保護層と樹脂フィルムを覆って開口部を形成してドレイン電極パットの上部の一部を露出させるものの、前記保護層の端部がドレイン電極パットの上部から露出する構造を有している。
【０００９】
このような構造は、たとえ樹脂フィルムの体積の変化による保護層の剥離を防止するためにドレイン電極パットの露出とは無関係の開口部を樹脂フィルムに形成するとしても、薄膜の隙間を通じて微細な水分が流入し得るため素子の安定性および信頼性を低下させ得る。
【００１０】
また、ドレイン電極パットを露出させるための開口部と保護層の剥離防止のための開口部を形成する時、エッチストップ（ｅｔｃｈ  ｓｔｏｐ）の差により実質的に機能の異なる両開口部を同時に形成することは非常に難しい問題点がある。すなわち、ドレイン電極パットを露出させる開口部のエッチストップは金属であるドレイン電極パットであり、保護層の剥離防止のための開口部は窒化物である保護層となるため工程が容易でなく、したがって別途の写真食刻工程を使って両開口部をそれぞれ形成しなければならないため工程段階が増加し得る問題点があった。
【発明の概要】
【発明が解決しようとする課題】
【００１１】
前記のような問題点を勘案した本発明の解決しようとする技術的課題は、窒化物系電子素子の耐湿性の向上のための構造および製造方法を提供することにある。
【００１２】
また、本発明が解決しようとする他の技術的課題は、耐湿性を向上させるものの、工程段階の増加を防止できる窒化物系電子素子およびその製造方法を提供することにある。
【００１３】
併せて、本発明が解決しようとする他の技術的課題は、ドレイン電極パットの上部側だけでなく、窒化物系電子素子の周り部分の端部を通じても湿気が流入することを防止できる窒化物系電子素子およびその製造方法を提供することにある。
【課題を解決するための手段】
【００１４】
前記のような課題を解決するための本発明の一側面に係る窒化物系電子素子は、基板、金属である電極および複数の保護層を含む窒化物系電子素子において、前記保護層のうち、前記電極の上部の一部が露出するように前記電極の一部を覆う少なくとも二つの保護層は、下部の保護層の端部が露出しないように上部の保護層が前記下部の保護層の端部を覆うように構成され得る。
【００１５】
本発明の一実施例によると、前記保護層が相互に接して積層されるチップ水準の側面部には、下部に位置する保護層の端部を上部に位置する保護層が覆って前記下部に位置する保護層の端部が露出しないようにすることができる。
【００１６】
本発明の一実施例によると、前記保護層のうち最上層の保護層は疏水性の樹脂材であり得る。
【００１７】
本発明の一実施例によると、前記疏水性の樹脂材は、ＢＣＢ（ＢｅｎｚｏＣｙｃｌｏＢｕｔｅｎｅ）であり得る。
【００１８】
本発明の一実施例によると、前記電極は少なくともドレイン電極パットであり、フィールドプレートを含むことができる。
【００１９】
また、本発明の他の側面に係る窒化物系電子素子の製造方法は、基板の上部にチャネル層、障壁層を順次形成し、保護層と電極を交互に形成する窒化物系電子素子の製造方法において、前記保護層のうち電極の上部の周辺部に形成される少なくとも二つの保護層を含み、前記二つの保護層のうち下部の保護層の端部が前記電極の上部に位置するようにパターニングし、前記二つの保護層のうち上部の保護層は前記下部の保護層の端部を覆って露出しないようにパターニングすることができる。
【００２０】
本発明の一実施例によると、前記保護層は、チップ水準の側面部でそれぞれ直接に接して積層され、上部に位置する保護層が下部に位置する保護層の端部を覆うようにパターニングすることができる。
【００２１】
本発明の一実施例によると、前記保護層の最上層に位置する保護層はＢＣＢ（ＢｅｎｚｏＣｙｃｌｏＢｕｔｅｎｅ）を塗布し、パターニングしてなるものであり得る。
【００２２】
本発明の一実施例によると、前記電極は、少なくともドレイン電極パットであり、選択的にフィールドプレートをさらに含むことができる。
【発明の効果】
【００２３】
本発明の窒化物系電子素子およびその製造方法は、多数のパッシベーション層および樹脂層を使う構造において、上部に位置する層が下部に位置する層の両端部を覆って端部が露出しないようにすることによって、層の間領域が露出することを防止して耐湿性を向上させることができる効果がある。
【００２４】
また、本発明は耐湿性の向上のための別途の開口部を形成しないため、工程段階の増加を防止できる効果がある。
【００２５】
そして、本発明は電極パッドの上部だけでなく、全体の構造において層の間領域が露出することを防止して耐湿性をさらに向上させることができる効果がある。
【図面の簡単な説明】
【００２６】
【図１】本発明の第１実施例に係る窒化物系電子素子の一部の断面構成図である。
【図２ａ】本発明の第１実施例に係る窒化物系電子素子の製造工程の手順断面図である。
【図２ｂ】本発明の第１実施例に係る窒化物系電子素子の製造工程の手順断面図である。
【図２ｃ】本発明の第１実施例に係る窒化物系電子素子の製造工程の手順断面図である。
【図２ｄ】本発明の第１実施例に係る窒化物系電子素子の製造工程の手順断面図である。
【図３】本発明の第２実施例に係る窒化物系電子素子の一部の断面構成図である。
【図４ａ】本発明の第２実施例に係る窒化物系電子素子の製造工程の手順断面図である。
【図４ｂ】本発明の第２実施例に係る窒化物系電子素子の製造工程の手順断面図である。
【図４ｃ】本発明の第２実施例に係る窒化物系電子素子の製造工程の手順断面図である。
【図４ｄ】本発明の第２実施例に係る窒化物系電子素子の製造工程の手順断面図である。
【発明を実施するための形態】
【００２７】
以下、本発明の窒化物系電子素子およびその製造方法について、添付した図面を参照して詳細に説明する。特に本発明の特徴的な構成と作用が明確に示され得るように、説明される図面は窒化物系電子素子の一部のみが表示され得る。
【００２８】
また、本発明では説明の便宜のために窒化物系電子素子の一例である、高電子移動度トランジスター（ＨＥＭＴ）の構造を例にして説明するものの、本発明は必ずしも高電子移動度トランジスターの製造にのみ限定されるものではない。
【００２９】
本発明の実施例は、当該技術分野で通常の知識を有する者に本発明をさらに完全に説明するために提供されるものであり、下記で説明される実施例は多様な異なる形態に変形され得、本発明の範囲は下記の実施例に限定されるものではない。かえって、これらの実施例は本発明をさらに忠実かつ完全にし、当業者に本発明の思想を完全に伝達するために提供されるものである。
【００３０】
本明細書で使われた用語は特定の実施例を説明するために使われ、本発明を制限するためのものではない。本明細書で使われたように、単数の形態は文脈上、異なることを明確に指摘するものでなければ、複数の形態を含むことができる。また、本明細書で使われる場合、「含む（ｃｏｍｐｒｉｓｅ）」および／または「含む（ｃｏｍｐｒｉｓｉｎｇ）」は、言及した形状、数字、段階、動作、部材、要素および／またはこれらのグループの存在を特定するものであり、一つ以上の他の形状、数字、動作、部材、要素および／またはグループの存在または付加を排除するものではない。本明細書で使われたように、用語「および／または」は該当列挙された項目のうちいずれか一つおよび一つ以上のすべての組み合わせを含む。
【００３１】
本明細書において、第１、第２等の用語が多様な部材、領域および／または部位を説明するために使われるが、これら部材、部品、領域、層および／または部位はこれらの用語によって限定されてはならないことは自明である。これらの用語は、特定の順序や上下、または優劣を意味するものではなく、一つの部材、領域または部位を他の部材、領域または部位と区別するためにのみ使われる。したがって、以下において詳述する第１部材、領域または部位は本発明の教えから逸脱することなく、第２部材、領域または部位を指し示すことができる。
【００３２】
以下、本発明の実施例は本発明の実施例を概略的に図示する図面を参照して説明する。図面において、例えば、製造技術および／または公差により、図示された形状の変形が予想され得る。したがって、本発明の実施例は本明細書に図示された領域の特定の形状に制限されるものと解釈されてはならず、例えば製造上もたらされる形状の変化を含まなければならない。
【００３３】
第１実施例
図１は、本発明の第１実施例に係る窒化物系電子素子の一部の断面構成図である。
【００３４】
図１に図示した通り、第１実施例に係る窒化物系電子素子は、基板１１と、前記基板１１の上部に形成されたチャネル層１２と、前記チャネル層１２の上部に形成された障壁層１３と、前記障壁層１３の上部で障壁層１３の一部の領域を露出させる第１保護層１４と、前記第１保護層１４により露出した障壁層１３上に位置するドレイン電極２０と、前記第１保護層１４の上部の全面と前記ドレイン電極２０の上面の周辺部の一部を覆うように位置する第２保護層３０と、前記ドレイン電極２０の上面とその周辺の第２保護層３０の一部上に位置するドレイン電極パット４０と、前記第２保護層３０の上部と前記ドレイン電極パット４０の上面の周辺部の一部を覆う第３保護層５０と、前記第３保護層５０の上部を覆うものの、第３保護層５０の端部が露出しないように前記ドレイン電極パット４０の上面の周辺部の一部まで位置する第４保護層６０を含んで構成される。
【００３５】
前記構成は窒化物系電子素子の一例である高電子移動度トランジスターのドレイン部分のみを示したものである。
【００３６】
前記において、基板１１はＳｉＣ、サファイアなどの知られている材質を使うことができ、チャネル層１２はＧａＮなどの窒化物系半導体層であり、障壁層１３はＡｌＧａＮなどの窒化物系半導体層である。この時、チャネル層１２と障壁層１３は互いに異なる窒化物系半導体層であるものとする。
【００３７】
前記障壁層１３の上部には第１保護層１４が位置する。第１保護層１４は、ドレイン領域の障壁層１３の一部を露出させるように一部に開口部が形成されている。第１保護層１４はＳｉＮなどの窒化物半導体層を使うことができる。
【００３８】
前記第１保護層１４の開口部を通じて露出した障壁層１３に接触するドレイン電極２０が位置する。前記ドレイン電極２０は金属層であり、図面には省略しているがソース電極と共に形成される。ドレイン電極２０を形成する方法はリフトオフ法を使うことができる。
【００３９】
その後、第２保護層３０が前記ドレイン電極２０の上面の中央部を露出させるように、ドレイン電極２０の上面の周辺部から前記第１保護層１４の上面の全体に位置する。ここで上面の全体とは図１の構成に限定された表現であり得る。第２保護層３０も窒化物半導体層を使うことができる。
【００４０】
この時、第１保護層１４はドレイン電極２０の側面に接し、第２保護層３０はドレイン電極２０の上面の周辺部まで延びているものであり、したがって第１保護層１４の端部と第２保護層３０の端部は互いに異なる位置に位置することになる。
【００４１】
第２保護層３０の端部が第１保護層１４の端部に比べて、図面上ｄ１だけドレイン電極２０の垂直方向の中心ｃにより近く位置し、全体的な面積も第２保護層３０がより広い特徴がある。
【００４２】
そして、第２保護層３０により露出するドレイン電極２０の上面の中央に接するドレイン電極パット４０が位置する。ドレイン電極パット４０は図面では省略されているがフィールドプレートとともに形成されたり、フィールドプレートとは別途の工程で形成され得る。
【００４３】
その後、第２保護層３０の上面の全体とドレイン電極パット４０の上面の周辺部の一部には第３保護層５０が位置することになる。第３保護層５０も窒化物半導体層を使うことができ、第３保護層５０の端部は第２保護層３０の端部に比べてｄ２だけ前記ドレイン電極２０の垂直方向の中心ｃにより近く位置する。
【００４４】
したがって、全体として第３保護層５０は第２保護層３０を完全に覆い、第２保護層３０は第１保護層１４を完全に覆う構造となる。
【００４５】
最後に、第４保護層６０は第３保護層５０の上部の全面および端部を覆うように位置する。すなわち、第４保護層６０は前記第３保護層５０の端部を覆うようにドレイン電極パット４０の上面の周辺部まで位置し、ドレイン電極パット４０の中央の一部のみを露出させる構造となる。したがって、第４保護層６０の端部は第３保護層５０の端部に比べてドレイン電極２０の垂直方向の中心ｃにより近く位置することになる。
【００４６】
第４保護層６０は樹脂材であり得、特に耐湿性の向上のために、疏水性で下部の層と密着度が優秀な材質を使うことができる。このような条件を満足するものとして、ＢＣＢ（ＢｅｎｚｏＣｙｃｌｏＢｕｔｅｎｅ）を挙げることができる。
【００４７】
前記第４保護層６０は、前記ドレイン電極パット４０の上部の周辺部側に折れ曲がった折り曲げ部６１を含む構成であり、前記折り曲げ部６１により第３保護層５０の端部および第４保護層６０と第３保護層５０の間領域が露出することを防止して水分が流入することを遮断することができる。
【００４８】
このように、本発明は上部の保護層が下部の保護層を完全に覆うように積層されて湿気が流入することを防止することができる。
【００４９】
図２ａ〜図２ｄは、本発明の第１実施例に係る窒化物系電子素子の製造工程の手順断面図である。
【００５０】
図２ａに図示した通り、基板１１の上部に順次チャネル層１２、障壁層１３を形成し、障壁層１３の上部に第１保護層１４を蒸着した後、一部を選択的に食刻して障壁層１３の上部の一部を露出させる。
【００５１】
この時、露出する障壁層１３はドレイン領域となる。
【００５２】
その後、図２ｂに図示した通り、リフトオフ（ｌｉｆｔ  ｏｆｆ）方法で前記第１保護層１４の間から露出した障壁層１３の上部に位置するドレイン電極２０を形成する。
【００５３】
その後、前記ドレイン電極２０と第１保護層１４の上部の全面に第２保護層３０を蒸着し、写真食刻工程を通じて第２保護層３０の一部を除去して前記ドレイン電極２０の上部の中央部を露出させる。
【００５４】
この時、除去される第２保護層３０はドレイン電極２０の上部の中央部上に位置する部分であるため、ドレイン電極２０の上部面の周りに沿って第２保護層３０が位置することになる。
【００５５】
その後、図２ｃに図示した通り、前記ドレイン電極２０の露出部分に接するドレイン電極パット４０を形成する。前記ドレイン電極パット４０はメッキ、リフトオフ、蒸着後パターニング方法などの金属パターン層の形成が可能なすべての方法を選択的に使うことができる。
【００５６】
その後、第３保護層５０を前記ドレイン電極パット４０および第２保護層３０の上部の全面に蒸着し、前記ドレイン電極パット４０の上部の中央部を露出させるパターンを形成する。
【００５７】
この時、第３保護層５０の食刻面である端部は、第２保護層３０の端部に比べて前記ドレイン電極パット４０の中央側により突出した形態となる。
【００５８】
その後、図２ｄに図示した通り、図２ｃの結果物の上部の全面に樹脂を塗布しパターニングして前記第３保護層５０の端部を覆い、ドレイン電極パット４０の上面の中央部を露出させる第４保護層６０を形成する。
【００５９】
前記第４保護層６０は下部層と密着性が優秀な疏水性のＢＣＢを塗布して形成し、下部層の端部および間の境界部分の露出を防止して湿気が流入することを防止することができる。
【００６０】
第２実施例
図３は、本発明の第２実施例に係る窒化物系電子素子の断面構成図である。
【００６１】
図３を参照すると、本発明の第２実施例に係る窒化物系電子素子は、第１実施例を図示した図１とは異なって、ソース電極７０、ゲート電極８０およびフィールドプレート９０をさらに含んで図示した。
【００６２】
図３では、本発明の特徴的な構成である多層の保護層の積層構造において、それぞれの下部に位置する保護層を完全に覆う上部の保護層の構造が、ドレイン電極パット上にのみ限定されるものではないことを示す。
【００６３】
前記ソース電極７０の上部に接し、ゲート電極８０の上部側の第３保護層５０の上部に延びるフィールドプレート９０は、ソース電極パッド（図面上では区画されていない）の役割も共にするものと理解され得る。
【００６４】
前記フィールドプレート９０の上部にも、前記ドレイン電極パット６０と同じように第３保護層５０と第４保護層６０が積層され、フィールドプレート９０に外部電極を連結するためにフィールドプレート９０の上面の中央部は露出され得る。
【００６５】
この時、前記フィールドプレート９０の上部側に位置する第４保護層６０は、同様に第３保護層５０の端部を完全に覆って露出することを防止する構造となり、ソース電極７０およびフィールドプレート９０の形成領域も前記において詳述したドレイン電極２０の形成領域のように、第１保護層１４、第２保護層３０、第３保護層５０、第４保護層６０が順次積層された構造を有し、上部の保護層がその下部の保護層に比べてソース電極７０の中央側に、より近い方向に突出している。
【００６６】
図３において、Ａ領域はウェハー水準で素子間の境界部と隣接した領域であって、以降基板１１を切断してチップ水準の側面部をなすことになる。実際の窒化物系電子素子のチップ水準の側面部は、多数のソース電極７０、ドレイン電極２０、ゲート電極８０を含むため非常に複雑な構造を有するが、これを単純化して図３に図示したものと理解され得る。
【００６７】
図３において、Ａ領域は第１保護層１４、第２保護層３０、第３保護層５０および第４保護層６０が直接接するように順次積層された構造であり、特に注目すべき点は第１保護層１４の端部を第２保護層３０が覆って露出することを防止し、第２保護層３０の端部は第３保護層５０が覆って露出することを防止するように積層された構造である。
【００６８】
また、第３保護層５０の端部は樹脂材である第４保護層６０が覆って露出することを防止することによって、窒化物系電子素子の側面部からの湿気の流入を遮断することができる。
【００６９】
前記第１保護層１４、第２保護層３０、第３保護層５０および第４保護層６０の一部は障壁層１３に直接接する構造となり、窒化物系電子素子の側面部からの湿気の流入を遮断することができる。
【００７０】
図４ａ〜図４ｄは、本発明の第２実施例に係る窒化物系電子素子の製造工程の手順断面図である。
【００７１】
図４ａを参照すると、基板１１に図示した通り、基板１１の上部に順次チャネル層１２、障壁層１３を形成し、障壁層１３の上部に第１保護層１４を蒸着した後、一部を選択的に食刻して障壁層１３の上部の一部を露出させる。
【００７２】
この時、露出する障壁層１３はドレイン領域およびソース領域となる。
【００７３】
また、チップ水準の窒化物系電子素子の側面部に位置する第１保護層１４の一部を除去して、第１保護層１４の端部が現れるようにする。
【００７４】
その後、図４ｂに図示した通り、リフトオフ（ｌｉｆｔ  ｏｆｆ）方法で前記第１保護層１４の食刻された領域を通じて露出した障壁層１３の上部に、ドレイン電極２０およびソース電極７０を形成する。
【００７５】
その後、前記ドレイン電極２０とソース電極７０の間の第１保護層１４の一部を食刻してその下部の障壁層１３を露出させた後、露出した障壁層１３に接するゲート電極８０を形成する。
【００７６】
その後、前記ドレイン電極２０、ソース電極７０、ゲート電極８０および第１保護層１４の上部の全面に第２保護層３０を蒸着し、写真食刻工程を通じて第２保護層３０の一部を除去して前記ドレイン電極２０およびソース電極７０の上部の中央部を露出させると共に、チップ水準の窒化物系電子素子の側面部から露出した第１保護層１４の端部を覆って露出しないようにする。
【００７７】
その後、図４ｃに図示した通り、ソース電極７０とドレイン電極２０の露出部分にそれぞれ接するフィールドプレート９０とドレイン電極パット４０を形成する。前記フィールドプレート９０とドレイン電極パット４０はメッキ、リフトオフ、蒸着後パターニング方法などの金属パターン層の形成が可能なすべての方法を選択的に使うことができる。
【００７８】
その後、第３保護層５０をフィールドプレート９０、ドレイン電極パット４０および第２保護層３０の上部の全面に蒸着し、フィールドプレート９０とドレイン電極パット４０の上部の中央部を露出させるパターンを形成し、チップ水準の窒化物系電子素子の側面部から露出した第２保護層３０の端部を覆って露出しないようにする。
【００７９】
この時、第３保護層５０の食刻面である端部は、第２保護層３０の端部に比べて前記ドレイン電極パット４０の中央側およびフィールドプレート９０の中央側に、より突出した形態となる。
【００８０】
その後、図４ｄに図示した通り、図４ｃの結果物の上部の全面に樹脂を塗布しパターニングしてフィールドプレート９０とドレイン電極パット４０の上部側に位置する第３保護層５０の端部を覆うと共に、チップ水準の窒化物系電子素子の側面部から露出した第３保護層５０の端部を覆って露出することを防止する。
【００８１】
前記第４保護層６０は下部層と密着性が優秀な疏水性のＢＣＢを塗布して形成し、下部層の端部および間の境界部分の露出を防止して湿気が流入することを防止することができる。
【００８２】
本発明は前記実施例に限定されず、本発明の技術的要旨を逸脱しない範囲内で多様に修正、変形されて実施できることは、本発明が属する技術分野で通常の知識を有する者において自明なものである。
【００８３】
本発明は安定性および信頼性を向上させることができる窒化物系電子素子およびその製造方法を提供する。
【符号の説明】
【００８４】
１１：基板
１２：チャネル層
１３：障壁層
１４：第１保護層
２０：ドレイン電極
３０：第２保護層
４０：ドレイン電極パット
５０：第３保護層
６０：第４保護層
７０：ソース電極
８０：ゲート電極
９０：フィールドプレート
【図１】
0006806307.tif 000002
【図２ａ】
0006806307.tif 000003
【図２ｂ】
0006806307.tif 000004
【図２ｃ】
0006806307.tif 000005
【図２ｄ】
0006806307.tif 000006
【図３】
0006806307.tif 000007
【図４ａ】
0006806307.tif 000008
【図４ｂ】
0006806307.tif 000009
【図４ｃ】
0006806307.tif 000010
【図４ｄ】
0006806307.tif 000011